(57)【要約】【課題】車両のシートバック、センタークラスター、天井およびコンソール等の被収納体の内部に収納した状態から、この被収納体に形成されている切欠部を介して全画面表示状態へと切り替えるとき、短いストロークで切り替えることができる車両用ディスプレイを提供することである。【解決手段】車両用ディスプレイ３４は、車両のシートバック、センタークラスター、天井およびコンソール等の被収納体３の内部に収納され、この被収納体３に形成されている切欠部２２を介して全画面表示状態へと切り替えることができる。この被収納体３の切欠部２２は、ディスプレイ３４が収納状態にあるとき、ディスプレイ３４のモニタ３４ａの一部が露出するように形成されている。【選択図】図１
2010247552.tif 000002
【特許請求の範囲】
【請求項１】
車両のシートバック、センタークラスター、天井およびコンソール等の被収納体の内部に収納され、この被収納体に形成されている切欠部を介して全画面表示状態へと切り替えることができる車両用ディスプレイであって、
被収納体の切欠部は、ディスプレイが収納状態にあるとき、ディスプレイのモニタの一部が露出するように形成されていることを特徴とする車両用ディスプレイ。
【請求項２】
請求項１に記載の車両用ディスプレイであって、
モニタの露出部分には、各種情報の表示を可能としたことを特徴とする車両用ディスプレイ。
【発明の詳細な説明】
【技術分野】
【０００１】
本発明は、車両用ディスプレイに関し、詳しくは、車両のシートバック、センタークラスター、天井およびコンソール等の被収納体の内部に収納され、この被収納体に形成されている切欠部を介して全画面表示状態へと切り替えることができる車両用ディスプレイに関する。
【背景技術】
【０００２】
従来より、後部座席の乗員（以下、単に「乗員」と記す）のために、前部座席（例えば、運転席または助手席）のシートバックの内部にディスプレイを備えた車両用シートが既に知られている。このディスプレイ１３４は、シートバック１０３の内部に収納されている収納状態（図５に示される状態）から、バックボード１２０に形成されている切欠部１２２を介してスライドさせて使用可能な状態へと切り替えることができる。また、この使用可能な状態で、ディスプレイ１３４をヘッドレスト１０４側に向けてチルトさせることもできる。これにより、ディスプレイ１３４を使用しない時には、シートバック１０３の内部に収納させることでディスプレイ１３４が邪魔になることなく、ディスプレイ１３４を使用する時には、ディスプレイ１３４を簡単に引き出して乗員の見易い角度で使用することができる。
【０００３】
なお、この出願の発明に関連する先行技術文献情報としては、例えば、特許文献１が知られている。
【先行技術文献】
【特許文献】
【０００４】
【特許文献１】特開２００５−７７７１６号公報
【発明の概要】
【発明が解決しようとする課題】
【０００５】
しかしながら、上述した従来技術では、ディスプレイ１３４をシートバック１０３の内部に収納した状態にすると、そのモニタ１３４ａはバックボード１２０に完全に覆われる格好となっていた。そのため、ディスプレイ１３４を収納状態から使用可能な状態へとスライドさせるとき、そのスライドのストロークが長くなるという問題が発生していた。
【０００６】
本発明は、このような課題を解決しようとするもので、その目的は、車両のシートバック、センタークラスター、天井およびコンソール等の被収納体の内部に収納した状態から、この被収納体に形成されている切欠部を介して全画面表示状態へと切り替えるとき、短いストロークで切り替えることができる車両用ディスプレイを提供することである。
【課題を解決するための手段】
【０００７】
本発明は、上記の目的を達成するためのものであって、以下のように構成されている。
請求項１に記載の発明は、車両のシートバック、センタークラスター、天井およびコンソール等の被収納体の内部に収納され、この被収納体に形成されている切欠部を介して全画面表示状態へと切り替えることができる車両用ディスプレイであって、  被収納体の切欠部は、ディスプレイが収納状態にあるとき、ディスプレイのモニタの一部が露出するように形成されていることを特徴とする。
この構成によれば、ディスプレイを収納状態にしても、そのモニタの一部は被収納体（例えば、シートバックのバックボード）の切欠部から露出したままとなる。そのため、ディスプレイを収納状態から使用可能な状態へと切り替える場合でも、被収納体によって覆われているモニタの下部に相当する高さのみディスプレイを移動させればよい。したがって、従来技術と比較すると、短いストロークでディスプレイを収納状態から使用可能な状態へと切り替えることができる。
【０００８】
また、請求項２に記載の発明は、請求項１に記載の車両用ディスプレイであって、モニタの露出部分には、各種情報の表示を可能としたことを特徴とする。
この構成によれば、ディスプレイが収納状態にあるとき、そのモニタの露出部分には、車両内の温度、車両内の空調機の設定状況等を表示させることができる。そのため、モニタの露出部分が小さくてテレビ映像や録画済みの映像等の再生ができない場合でも、モニタを有効活用することができる。
【図面の簡単な説明】
【０００９】
【図１】図１は、本発明の実施例に係るディスプレイを適用した車両用シートの背面斜視図であり、ディスプレイがシートバックの内部に収納されている状態を示している。
【図２】図２は、図１のディスプレイをスライドさせて使用可能な状態へと切り替えた状態を示している。
【図３】図３は、図２のディスプレイをチルトさせた状態を示している。
【図４】図４は、図１のディスプレイのモニタの表示内容を示す図である。
【図５】図５は、従来技術に係るディスプレイを適用した車両用シートの背面斜視図であり、ディスプレイがシートバックの内部に収納されている状態を示している。
【発明を実施するための形態】
【００１０】
以下、本発明を実施するための形態を、図１〜４を用いて説明する。なお、以下の説明にあたって、上、下、前、後、左、右とは、上述した図に記載した、上、下、前、後、左、右の方向、すなわち、車両用シート１を基準にしたときの上、下、前、後、左、右の方向を示している。なお、この実施例では、被収納体がシートバック３である例を説明する。
【００１１】
まず、図１を参照して、本発明の実施例に係る車両用シート１の概略構成を説明する。この車両用シート１は、シートクッション（図示しない）と、シートバック３と、ヘッドレスト４とから構成されている。このシートバック３の内部には、公知のスライド機構（図示しない）と、このスライド機構によってスライド可能なディスプレイ３４とから構成されている表示装置３０が備えられている。そのため、ディスプレイ３４をシートバック３の内部に収納した収納状態（図１に示される状態）から、バックボード２０に形成されている切欠部２２を介してスライドさせた使用可能な状態（図２に示される状態）へと切り替えることができる。この使用可能な状態が、特許請求の範囲に記載の「全画面表示状態」に相当する。
【００１２】
また、この使用可能な状態で、公知のチルト機構（図示しない）を介してディスプレイ３４をヘッドレスト４側に向けてチルトさせることもできる（図３参照）。これらスライドおよびチルトは、それぞれ駆動手段（例えば、図示しないモータ）によって作動するように機械的に構成されている。そして、これら駆動手段は、後部座席の乗員（以下、単に「乗員」と記す）のスイッチ操作に起因して動作するように電気的に構成されている。なお、これら機械的な構成および電気的な構成も公知の構成であるため、その詳細な説明は省略することとする。
【００１３】
ここで、上述したバックボード２０について詳述すると、バックボード２０は、シートバック３のクッション１０の背面側を覆うための硬質製の合成樹脂によって形成されているカバー部材である。このバックボード２０の切欠部２２は、ディスプレイ３４が収納状態にあるとき、ディスプレイ３４のモニタ（映像を映し出す画面）３４ａの上部（例えば、モニタ３４ａの高さのうち、上側の１／３程度）が露出するように、縦断面略逆Ｌ字状に形成されている。この記載が、特許請求の範囲に記載の「被収納体の切欠部は、ディスプレイが収納状態にあるとき、ディスプレイのモニタの一部が露出するように形成されている」に相当する。
【００１４】
このモニタ３４ａの露出部分には、車両に関する各種情報として、例えば、車両内の温度、車両内の空調機の設定状況等を表示させることができる（図４参照）。この記載が、特許請求の範囲に記載の「モニタの露出部分には、各種情報の表示を可能とした」に相当する。なお、この表示を見て空調機の設定を変更したい場合には、後部座席に設けられたスイッチ（図示しない）を操作して変更する構成となっている。
【００１５】
本発明の実施例に係るディスプレイ３４は、上述したように構成されている。この構成によれば、ディスプレイ３４を収納状態にしても、そのモニタ３４ａの一部はバックボード２０の切欠部２２から露出したままとなる。そのため、ディスプレイ３４を収納状態から使用可能な状態へと切り替える場合でも、バックボード２０によって覆われているモニタ３４ａの下部に相当する高さのみディスプレイ３４をスライドさせればよい。したがって、従来技術と比較すると、短いストロークでディスプレイ３４を収納状態から使用可能な状態へと切り替えることができる。
【００１６】
また、この構成によれば、ディスプレイ３４が収納状態にあるとき、そのモニタ３４ａの露出部分には、車両内の温度、車両内の空調機の設定状況等を表示させることができる。そのため、モニタ３４ａの露出部分が小さくてテレビ映像や録画済みの映像等の再生ができない場合でも、モニタ３４ａを有効活用することができる。
【００１７】
上述した内容は、あくまでも本発明の一実施の形態に関するものであって、本発明が上記内容に限定されることを意味するものではない。
実施例では、表示装置３０は、公知のスライド機構（図示しない）と、このスライド機構によってスライド可能なディスプレイ３４とから構成されている例を説明した。しかし、これに限定されるものでなく、例えば、リンク機構と、このリンク機構によって移動可能なディスプレイ３４とから構成されていても構わない。
【００１８】
また、実施例では、被収納体がシートバック３である例を説明した。しかし、これに限定されるものでなく、例えば、被収納体がセンタークラスター、天井およびコンソール等であっても構わない。
【符号の説明】
【００１９】
１      車両用シート
３      シートバック
２０    バックボード
２２    切欠部
３４    ディスプレイ
【図１】
2010247552.tif 000003
【図２】
2010247552.tif 000004
【図３】
2010247552.tif 000005
【図４】
2010247552.tif 000006
【図５】
2010247552.tif 000007